(57)【要約】      （修正有）【課題】線材の結束、固定に便利な結束バンドを提供する。【解決手段】線材用結束バンドは軟性材料で製造され、スリーブ１０１に形成されたスリット１０１１により線材２０に嵌合され、該スリーブより被包部１０２が延伸され、該被包部が結束後の線材を被包固定し、且つ線材に嵌合されたスリーブに第１係合部１０１２、第２係合部１０１４及び及び第１対応係合部１０１３が形成され、該第１係合部が該第１対応係合部に係合して嵌合された線材２０を固定し、更に第２係合部１０１４と被包部に設けられた第２対応係合部１０２１が係合させられることで、速やかに且つ便利に、線材を結束固定でき、線材を脱落させない。【選択図】図１
0003146015.tif 000002
【実用新案登録請求の範囲】
【請求項１】
線材に嵌合固定されると共に、纏められた線材を被覆固定できる線材用結束バンドにおいて、一端にスリーブが形成され、該スリーブの外周面に軸方向にスリットが形成され、該スリットの一側の該スリーブ外周に第１係合部と第２係合部が形成され、該スリットの別側の該スリーブ外周に第１対応係合部が形成され、該第１係合部が該第１対応係合部と係合可能であり、
該線材用結束バンドの別端に、該スリーブより延伸された片状或いはストリップ状の被包部があり、その末端に第２対応係合部が設けられ、該第２対応係合部は該第２係合部と係合可能であることを特徴とする、線材用結束バンド。
【請求項２】
請求項１記載の線材用結束バンドにおいて、該スリーブに設けられた該第１係合部が突出する係合部とされたことを特徴とする、線材用結束バンド。
【請求項３】
請求項１記載の線材用結束バンドにおいて、該スリーブに設けられた該第２係合部が突出する係合部とされたことを特徴とする、線材用結束バンド。
【請求項４】
請求項１記載の線材用結束バンドにおいて、該スリーブに設けられた該第１対応係合部が貫通孔とされたことを特徴とする、線材用結束バンド。
【請求項５】
請求項１記載の線材用結束バンドにおいて、該被包部に設けられた該第２対応係合部が貫通孔とされたことを特徴とする、線材用結束バンド。
【請求項６】
請求項１記載の線材用結束バンドにおいて、該第１係合部と該第１対応係合部が面ファスナーとされたことを特徴とする、線材用結束バンド。
【請求項７】
請求項１記載の線材用結束バンドにおいて、該第１係合部と該第１対応係合部が磁石とされたことを特徴とする、線材用結束バンド。
【請求項８】
請求項１記載の線材用結束バンドにおいて、該第２係合部と該第２対応係合部が面ファスナーとされたことを特徴とする、線材用結束バンド。
【請求項９】
請求項１記載の線材用結束バンドにおいて、該第２係合部と該第２対応係合部が磁石とされたことを特徴とする、線材用結束バンド。
【請求項１０】
請求項１記載の線材用結束バンドにおいて、該スリットの一端に第１係合部が形成されたことを特徴とする、線材用結束バンド。
【請求項１１】
請求項１記載の線材用結束バンドにおいて、該被包部の上端近くに第１対応係合部が形成されたことを特徴とする、線材用結束バンド。
【請求項１２】
請求項１記載の線材用結束バンドにおいて、該被包部に複数の第２対応係合部が形成されたことを特徴とする、線材用結束バンド。
【考案の詳細な説明】
【技術分野】
【０００１】
本考案は結束した線材を固定するのに用いられ、速やかに便利に線材に嵌合でき、且つ線材を纏めて結束固定でき、線材を脱落させない線材用結束バンドに関する。
【背景技術】
【０００２】
日常生活中に生活用品には、線材が付随するものがあり、例えば家電にはコードがあり、イヤホンもコードがついているものがある。使用時には電気製品の外部に露出した線材は交錯して絡まることがあり、その上を通過する時、引っかかって転ぶ危険があり、また、見た目も悪い。さらに、使用後に収納する時には、線材をどのように整理していいのか分からず、物品に巻き付けたり簡単に結ぶか、或いはそのまま放置されることが多い。このため、次に使用したい時に、巻き付けられたり絡みついた線材を解くのに手間取り、また線材が巻き付けられる時に、線材内部の回路が過度の湾曲により損傷、切断され易く、そのために、物品が使用不能となることもあり、改良が求められている。
【考案の開示】
【考案が解決しようとする課題】
【０００３】
本考案の主要な目的は、速やかに便利に線材に嵌合でき、且つ線材を纏めて結束固定でき、線材を脱落させない線材用結束バンドを提供することにある。
【課題を解決するための手段】
【０００４】
本考案の線材用結束バンドは、第１係合部、第２係合部、第１対応係合部、第２対応係合部、被包部及びスリーブで構成され、線材をスリーブに形成したスリットによりスリーブ内に嵌合させる時、線材用結束バンドの線材と異なる材質、摩擦力が異なる特性を利用し、線材用結束バンドを容易に線材に嵌合させられ、且つスリーブ上端に第１係合部と第２係合部が形成され、また、スリーブ下端より被包部が延伸され、該被包部の一端に第２対応係合部と第２対応係合部が形成され、該第１対応係合部が第１係合部に係合させられる時、スリーブが線材を被覆固定し、第２対応係合部が第２係合部に係合させられる時、該被包部が纏められた線材を被包し、且つ線材を結束固定し、これにより線材が脱落し絡まる状況を防止する。
【考案の効果】
【０００５】
本考案の線材用結束バンドは、速やかに便利に線材に嵌合でき、且つ線材を纏めて結束固定でき、線材を脱落させない。
【考案を実施するための最良の形態】
【０００６】
図１は本考案の立体図であり、図中に示される線材用結束バンド１０は軟性材料で製造され（例えばプラスチック射出成形）、該線材用結束バンド１０の一端にスリーブ１０１が形成され、該スリーブ１０１の外周に軸方向にスリット１０１１が形成され、スリット１０１１により、図３、４、５に示されるように、該スリーブ１０１を直接線材２０に嵌合させられる。該スリーブ１０１のスリット１０１１の一側に、第１係合部１０１２と第２係合部１０１４が形勢され、該スリット１０１１の別側に第１対応係合部１０１３が設けられ、且つ該第１対応係合部１０１３は貫通孔に形成されて、該第１係合部１０１２と第２係合部１０１４は突出する構造体とされ得る。線材用結束バンド１０の別端には、スリーブ１０１より延伸された片状或いはストリップ状の被包部１０２があり、且つ被包部１０２底端近くの平面には第２対応係合部１０２１が形成され、図示されるように、この第２対応係合部１０２１は貫通孔に形成され、これにより、図１、２を参照されたいが、第１係合部１０１２と第１対応係合部１０１３が係合させられ、第２係合部１０１４と第２対応係合部１０２１が係合させられる動作は、いずれもそれ自体の有する弾性を利用して係合と脱出防止の機能を達成する。
【０００７】
本考案の実施時には、図１、２を参照されたいが、この軟性材料で製造された線材用結束バンド１０は、スリット１０１１に力を加えて開けば、スリーブ１０１を線材２０に嵌合させることができ、このとき、第１係合部１０１２を第１対応係合部１０１３に通してスリーブ１０１を常態で線材２０に嵌合させられる。これにより、使用者は実際の使用の必要に応じて、線材用結束バンド１０を任意の線材２０に組み付けられる。さらに、線材用結束バンド１０の別端に形成された被包部１０２を線材２０のその他の位置或いはその他の線材２０（図示せず）に繞設し、第２係合部１０１４を被包部１０２の第１対応係合部１０１３に通すことで、線材結束固定の動作を完成する。スリーブ１０１の外周面の第１対応係合部１０１３は第１係合部１０１２と係合することで固定の効果を達成し、被包部１０２は線材２０全体を被包し、すなわち、速やかに線材用結束バンド１０を線材２０に嵌合して結束する機能を達成する。こうして、有効に線材が散らばる問題を解決でき、且つ本考案の線材用結束バンドの材質の有する弾性を利用し且つスリーブに形成されたスリットにより、線材を結束或いは結束解除する時、いずれも速やかに達成でき、実用性の要求に符合する。
【０００８】
図３を参照されたい。図３には本考案の別の実施例が示され、図示される線材用結束バンド３０は、軟性樹脂で一体成形され、成形後には、スリーブ３０１を有し、スリーブ３０１の外周面にスリット３０１１が形成され、また、スリーブ３０１の外周面より被包部３０２が延伸されている。さらに、図示されるように、スリーブ３０１の上方には第１面ファスナー３０１２（或いは磁石）が貼り付けられ、スリーブ３０１の内側の対応位置に第１対応面ファスナー３０１３（或いは磁石）が貼り付けられ、該第１面ファスナー３０１２近くの上方に、第１係合部３０１４が形成され、被包部３０２の平面上の対応位置に第１対応係合部３０２１が形成されている。実施時には、まずスリーブ３０１のスリット３０１１を利用してスリーブ３０１を線材２０（イヤホンコード或いは電源コード等）に嵌合し、更に第１面ファスナー３０１２と第１対応面ファスナー３０１３と貼り合わせ、線材用結束バンド３０を線材２０に固定し、さらに、スリーブ３０１外に露出した線材２０を折り曲げ、折り曲げ完成した線材を被包部３０２の平面上に平らに置き、さらに被包部３０２で巻いてから、第１係合部３０１４と第１対応係合部３０２１を係合させることで、結束動作を速やかに完成できる。線材２０を脱出させる時は、第１係合部３０１４と第１対応係合部３０２１を分離させればよい。
【０００９】
図４は本考案のさらに別の実施例を示し、図示される線材用結束バンド４０は、軟性樹脂で一体成形され、成形後には、スリーブ４０１を有し、スリーブ４０１の外周面にスリット４０１１が形成され、また、スリーブ４０１の外周面より被包部４０２が延伸されている。さらに、図示されるように、スリーブ４０１の上方には第１係合部４０１２が形成され、スリーブ４０１の内側の対応位置に第１対応係合部４０１３が形成され、該第１係合部４０１２近くの上方に、第１面ファスナー４０１４（或いは磁石）が貼り付けられ、被包部４０２の平面上の対応位置に第１対応面ファスナー４０２１（或いは磁石）が貼り付けられている。実施時には、まずスリーブ４０１のスリット４０１１を利用してスリーブ４０１を線材２０（イヤホンコード或いは電源コード等）に嵌合し、更に第１係合部４０１２と第１対応係合部を係合させ、線材用結束バンド４０を線材２０に固定し、さらに、スリーブ４０１外に露出した線材２０を折り曲げ、折り曲げ完成した線材を被包部４０２の平面上に平らに置き、さらに被包部４０２で巻いてから、第１面ファスナー４０１４と第１対応面ファスナー４０２１を接合させることで、結束動作を速やかに完成できる。線材２０を脱出させる時は、第１面ファスナー４０１４と第１対応面ファスナー４０２１を分離させればよい。
【００１０】
図５は本考案のさらにまた別の実施例を示し、図示される線材用結束バンド５０は、軟性樹脂で一体成形され、成形後には、スリーブ５０１を有し、スリーブ５０１の外周面にスリット５０１１が形成され、また、スリーブ５０１の外周面より被包部５０２が延伸されている。さらに、図示されるように、スリーブ５０１のスリット５０１１の上方には第１面ファスナー５０１２（或いは磁石）と第２面ファスナー５０１４（或いは磁石）が貼り付けられ、スリット５０１１の下方には第１対応面ファスナー５０１３（或いは磁石）が貼り付けられ、被包部５０２の平面上の第２面ファスナー５０１４に対応する位置に、第２対応面ファスナー５０２１（或いは磁石）が貼り付けられている。実施時には、まずスリーブ５０１のスリット５０１１を利用してスリーブ５０１を線材２０（イヤホンコード或いは電源コード等）に嵌合し、更に第１面ファスナー５０１２と第１対応面ファスナー５０１３を係合させ、線材用結束バンド５０を線材２０に固定し、さらに、スリーブ５０１外に露出した線材２０を折り曲げ、折り曲げ完成した線材を被包部５０２の平面上に平らに置き、さらに被包部５０２で巻いてから、第２面ファスナー５０１４と第２対応面ファスナー５０２１を係合させることで、結束動作を速やかに完成できる。線材２０を脱出させる時は、第２面ファスナー５０１４と第２対応面ファスナー５０２１を分離させればよい。
【００１１】
図６は本考案のさらにまた別の実施例を示し、図示される線材用結束バンド６０は、軟性樹脂で一体成形され、成形後には、スリーブ６０１を有し、スリーブ６０１の外周面にスリット６０１１が形成され、スリット６０１１によりスリーブ６０１が直接線材に嵌合され、即ち線材用結束バンド６０がスリーブ６０１の作用により常態で線材に組み付けられる。また、スリーブ６０１のそのうち一端のスリット６０１１には第１係合部６０１２が形成され、外周面の１端に第２係合部６０１３が形成され、図示されるように、スリーブ６０１の外周面より別に片状或いはストリップ状の被包部６０２が延伸され、該被包部６０２の上端近くの平面上に、第１対応係合部６０２１が形成され、且つこの第１対応係合部６０２１は貫通孔とされ、被包部６０２の底端近くの平面上に複数の第２対応係合部６０２２が形成される。図示されるように、この第２対応係合部６０２２は貫通孔とされる。実施時には、まずスリーブ６０１のスリット６０１１を利用してスリーブ６０１を線材２０に嵌合し、更に第１係合部６０１２と第１対応係合部６０２１を係合させ、線材用結束バンド６０を線材２０に固定し、さらに、整理した線材を被包部６０２の平面上に置いてから、被包部６０２で線材を被包し、複数の第２対応係合部６０２２により、線材被包時の締めつけ程度を調整でき、且つ第１係合部６０１２と第１対応係合部６０２１及び第２係合部６０１３と第２対応係合部６０２２を係合させる時には、材質自体の有する弾性を利用し、係合と脱出防止の機能を達成する。
【００１２】
以上から、本考案は実施後に確実に線材の結束固定を速やかに、便利に行なえる機能を提供し、且つ整理した線材を固定し、線材の脱落による絡まりを防止する目的を達成する。
【図面の簡単な説明】
【００１３】
【図１】本考案の立体図である。
【図２】本考案の実施表示図である。
【図３】本考案の別の実施例図である。
【図４】本考案の別の実施例図である。
【図５】本考案の別の実施例図である。
【図６】本考案の別の実施例図である。
【符号の説明】
【００１４】
１０  線材用結束バンド
１０１  スリーブ
１０１１  スリット
１０１２  第１係合部
１０１３  第１対応係合部
１０１４  第２係合部
１０２  被包部
１０２１  第２対応係合部
２０  線材
３０  線材用結束バンド
３０１  スリーブ
３０１１  スリット
３０１２  第１面ファスナー
３０１３  第１対応面ファスナー
３０１４  第１係合部
３０２  被包部
３０２１  第１対応係合部
４０  線材用結束バンド
４０１  スリーブ
４０１１  スリット
４０１２  第１係合部
４０１３  第１対応係合部
４０１４  第１面ファスナー
４０２  被包部
４０２１  第１対応面ファスナー
５０  線材用結束バンド
５０１  スリーブ
５０１１  スリット
５０１２  第１面ファスナー
５０１３  第１対応面ファスナー
５０１４  第２面ファスナー
５０２  被包部
５０２１  第２対応面ファスナー
６０  線材用結束バンド
６０１  スリーブ
６０１１  スリット
６０１２  第１係合部
６０１３  第２係合部
６０２  被包部
６０２１  第１対応係合部
６０２２  第２対応係合部
【図１】
0003146015.tif 000003
【図２】
0003146015.tif 000004
【図３】
0003146015.tif 000005
【図４】
0003146015.tif 000006
【図５】
0003146015.tif 000007
【図６】
0003146015.tif 000008